(57)【特許請求の範囲】
【請求項１】
医療施設の設備品データを管理し分析するコンピュータが実施する方法であって、
参照データベース（６０）が、複数の医療施設（１２、１４、１６）の複数の部門（３８、４０及び４２）の設備品構成要素の種別及び、前記設備品構成要素の動作を含む設備品利用状況データ（１０６）を含む参照データを記憶する工程と、
前記複数の部門（３８、４０及び４２）の内の関心のある部門（３８、４０及び４２）における複数の設備品構成要素（ｃ１、ｃ２、....）の種別及び、前記設備品構成要素の動作を表わすデータ（１１４）をデータ分析モジュール（１１８）が収集する工程（８８、９２）と、
前記施設の中央データベース（３６）が前記収集されたデータ（１１４）を記憶する工程（９４、１５２）と、
前記収集されたデータの前記設備品構成要素の種別に対応する前記設備品利用状況データ（１０６）を前記データ分析モジュール（１１８）が前記参照データベース（６０）から抽出する工程（９６）と、
前記複数の部門（３８、４０及び４２）に対する前記関心のある部門の前記設備品利用状況データ（１０６）に従った前記設備品構成要素の動作のベンチマーク評価を含むリポート（１２８）をリポート作成モジュール（１２４）が作成する工程と、
を含む、方法。
【請求項２】
前記動作が故障の状態を含み、前記医療施設（１２）の規模に応じて前記リポート（１２８）が作成される、請求項１に記載の方法。
【請求項３】
医療施設の設備品データを管理し分析するシステムであって、
複数の医療施設（１２、１４、１６）の複数の部門（３８、４０及び４２）の設備品構成要素の種別及び、前記設備品構成要素の動作を含む設備品利用状況データ（１０６）を含む参照データを含む参照データベース（６０）と、
前記複数の部門（３８、４０及び４２）の内の関心のある部門（３８、４０及び４２）における設備品構成要素（Ｃ１、Ｃ２、....）の種別及び、前記設備品構成要素の動作を表わすデータを含む中央施設設備品データベース（３６）と、
前記参照データベース（６０）からのデータと、前記中央データベース（３６）からのデータとを比較するように構成されているデータ分析モジュール（１１８）と、
前記複数の部門（３８、４０及び４２）に対する前記関心のある部門の前記設備品利用状況データ（１０６）に従った前記設備品構成要素の動作のベンチマーク評価を含むリポート（１２８）を作成するリポート作成モジュール（１２４）と、
を備える、システム。
【請求項４】
前記動作が故障の状態を含み、前記参照データベース（６０）及び前記中央データベース（３６）は異なる位置に配置されている請求項３に記載のシステム。
【請求項５】
前記中央データベース（３６）に複数のデータ入力ステーション（４４、４６、４８、５２、１２０）を含んでいる請求項３または４に記載のシステム。
【請求項６】
前記中央データベース（３６）は２以上の異なる記憶装置を備えている請求項３乃至５のいずれかに記載のシステム。
【請求項７】
前記医療施設（１２）は放射線部門情報システム（４６）、病院情報システム（４８）又は、画像保管及び通信システム（５０）を含んでいる請求項３乃至６のいずれかに記載のシステム。
【請求項８】
前記医療施設（１２）は複数の地理的に分散した施設拠点（３０、３２、３４）を含んでいる請求項３乃至７のいずれかに記載のシステム。
【請求項９】
ネットワーク・リンク（２０）を介して前記リポートを伝達するネットワーク・インタフェイス（７０）を含んでおり、
前記ネットワーク・リンク（２０）はインターネットを含んでいる請求項３乃至８のいずれかに記載のシステム。
【請求項１０】
前記医療施設（１２）の規模に応じて前記リポート（１２８）が作成される、請求項３乃至９のいずれかに記載のシステム。
【発明の詳細な説明】
【０００１】
【発明の属する技術分野】
本発明は一般的には、医療関連のシステム、設備品(equipment)及び施設(insitution) 等の分野に関する。さらに具体的には、本発明は、施設内、及び２以上の施設間でのデータ分析及びリポート作成の強化を可能にするように医療関連の設備品及び施設の情報源を統合する手法に関する。
【０００２】
【発明の技術的背景】
現代の医療診断施設は、高品質の医療を提供するために広範な資源を利用している。かかる資源には、患者及び医療従事者を収容するのに必要な物理的な設備、医療提供時に用いられる使い捨て式及び使い捨て式でない設備品及び資源、並びに医療提供に不可欠の人的資源がある。これらの物的人的設備の適正な管理は、他のあらゆる高度に技術的な業務運用と同じ業務制約を有し、財務配分及び財務計画のためには資産利用の詳細な分析を必要とする。
【０００３】
医療施設のデータを管理する現在の手法は、個々の区画、部門及びシステムからのデータの手動収集及び自動収集を含んでいる。典型的な施設では、患者の治療に利用される資産は、病院情報システム（ＨＩＳ）への入力等によって支払目的のために追跡されている。イメージング・システム及び監視システムのようなさらに技術的な資源の保守は典型的にはＨＩＳとは別個に行なわれ、病院職員によって記録されているレコード、及び設備品を保守して維持する現場内外の契約者によって記録されているレコードを含み得る。同様に、照明から建物構成、構内保全に至る広範な設備品及び構成要素を含めた物理的な設備を保守するために雇用されている支援職員はしばしば、全く別個のレコードを記録している。さらに、資産及び資源利用並びに医療施設のために記録されている個々のレコードは一般的には、既知の母集団から導き出される類似のレコードと関連付けられておらず、場合によっては同じ設備又は類似の設備についての財務情報にすら関連付けられておらず、より詳細な資産管理を可能にするようになっていない。
【０００４】
医療関連の設備及び施設の分野において、データ分析及びリポート作成の強化を可能にするように様々な情報源を統合する改善された手法が必要とされている。現状では、各施設が単一の業務又は関連業務において論理的に関連付けられている場合でも、情報資源は、施設内及び施設間の両方で切り離されていることが多い。同様に、現在の手法は、ベンチマーク評価、財務分析及び財務追跡の目的のために、ある施設又は医療業務用の中央化されたレコードを類似のデータと関連付けることを典型的に行なっているとは言えない。従って、安全性があり（高信頼型）、高速の方式で、かかる比較及び分析を可能にする統合型システムが必要とされている。
【０００５】
【発明の概要】
本発明の手法は、上述の必要性に応えるように設計されており、医療施設内及び医療施設間での多数の情報及びデータ資源の統合を可能にする。このシステムは、個々のサービス提供者及び個々の部門による手入力を含めた従来のデータ収集及び入力の過程を組み入れていてよい。収集された情報はまた、個々のシステム又は個々の部門の遠隔監視等による自動収集手法から得られるものであってもよい。データはデータ源と関連付けられて詳細な分析を可能にするが、また、部門全体、施設全体又は業務全体とも関連付けられて、さらに高レベルの分析を可能にする。本発明の統合型システムはまた、個々の施設からは通常入手可能でないデータをも含んでおり、かかるデータとしては、財務追跡及び財務計画、並びに類似のプロフィール又は任務を有する施設又は設備に対するベンチマーク評価を可能にする財務計画データ及び母集団データがある。
【０００６】
本発明の手法はさらに、収集されたデータに基づいて、また財務用情報源及びベンチマーク評価用情報源を含めた外部情報源からの入力に基づいて、分析の高速且つ正確なリポート報告を可能にする。リポートは、高信頼型（secure）方式で作成されて、高信頼型ネットワーク・リンク等を介して施設の管理職員に対して発行することができる。ベンチマーク評価の目的で情報を収集する場合には、所望があれば、情報にフィルタ選別を施して、特定の施設又はデータ源を識別することを防止することもできる。得られるリポートは、施設、及び施設内の下位区分の両方について資産利用の正確且つ極めて詳細な展望を与える。さらに、リポートは、物理的設備及び設備品の利用状況の傾向、並びに人的資源の必要性の傾向の両方を含めた傾向の詳細な分析を可能にする。
【０００７】
【発明の詳しい説明】
ここで図面について説明する。先ず、図１には、１以上の医療施設において生物医学関連設備品に関する監視、データ収集、データ分析及びリポート作成を行なうサービス・システム１０が示されている。図示のように、システム１０は複数の施設１２、１４及び１６を含んでいるが、詳細は第１の施設１２のみで代表する。本発明の手法の各側面によれば、図１に示すような形態構成（topography）によって任意の数の施設がサービスを受けてもよいし、又は以下に述べる手法を採用した様々な修正型形態構成によってサービスを受けてもよい。システム１０はさらに、施設の生物医学関連設備品にサービスを実行し、設備品についてのデータを収集して分析し、設備品目録（inventory）及び動作成績（パフォーマンス）等に関するリポートを作成する１以上のサービス提供者１８を含んでいる。図示の実施形態では、施設及びサービス提供者は、インターネットのようなネットワーク２０を介して結合されていてよい。一般的な具現化形態では、システムはまた、現場技術者又は技師２２、及び遠隔クライアント２４によるデータ・レコードへのアクセスを許可していてもよい。現場技術者及び遠隔クライアントは、適当である場合には、モバイル型コンピュータ・システム及び遠隔コンピュータ端末等を介してデータにアクセスしたりデータを入力したりすることができる。
【０００８】
各々の施設内では、様々な機能的部分又は機能的下位区分を画定することができ、データはかかる機能的部分に従って収集され分析される。例えば図１の実施形態では、施設１２は２つの機能的グループ２６及び２８、並びに３つの施設拠点（site）３０、３２及び３４を含んでいる。拠点３０及び３２がグループ２６を構成しており、拠点３４がグループ２８を形成している。後述するように、本発明の手法は、個々の拠点、各拠点内の個々の部門、施設及び論理的なグループについての生物医学関連設備品データの収集及び集中記憶を容易にするものである。例として述べると、施設が地理的に分散した箇所に複数の拠点を含んでいる場合、各々の拠点を別個に考慮することもできるが、設備品データは拠点別でも施設別でも参照され、拠点又は施設のいずれかによる全体像の把握を可能にしている。同様に、例えば行政的下位区分（例えば、州、国、市）による論理的なグループ分けを設定してもよいし、或いは会計又は課税の管轄による論理的なグループ分けを設定してもよく、データは設定に従って参照される。
【０００９】
各々の拠点内では、多様な部門及びシステムを指定して互いに交信することができる。中央データベース３６が、施設によって保持（例えば、所有、管理、リース）されている生物医学関連設備品に関するデータを含むように構成されている。データベースは、任意の適当な記憶装置に記憶させることができ、図示のように、多数の記憶装置を、データベースのすべて又は一部の記憶のために、或いは記憶のバックアップ及び冗長性を提供するために設けてよいことを特記しておく。但し、一般的には、中央データベースは利用者のために、追跡、管理、計画及び他の意思決定を容易にするようにアクセス、処理、転送、記憶及び維持を行なうことのできる生物医学関連設備品データ用の中央保管装置を形成している。
【００１０】
図１の実施形態では、施設１２は拠点３０において、様々な部門３８、４０及び４２を含んでいる。施設の任務に応じて、これらの部門は放射線部門、救急医療施設、新生児医療施設及び腫瘍ユニット等を含み得る。各々の部門内では、入院患者及び外来患者に医療を提供するための生物医学関連設備品が保持されている。ここでの例では、生物医学関連設備品とは広範な使い捨て式資源、並びに患者監視モニタ、入力装置及び読み出し装置等の使い捨て式でない資源を含み得る。但し、一般的には、生物医学関連設備品はまた、寝台、車椅子及びコンピュータ・システム等を含めた施設の物理的設備要素を含み得る。部門によっては、上述の設備品はさらに、撮像ステーション、スキャナ、プローブ及びコイル・アセンブリ等を含み得る。各々の部門の設備品は、図１の参照番号４４に線図で示す看護婦、臨床医、医師及び他の利用者による業務に利用できるようになっている。
【００１１】
各々の部門に割り当てられている生物医学関連設備品に加え、施設は、施設情報システム内で交信する付加的なシステムを含み得る。例えば、放射線部門情報システム（ＲＩＳ）４６、病院情報システム（ＨＩＳ）、画像保管及び通信システム（ＰＡＣＳ）５０、並びに類似の情報管理システムを設けることができる。後述するようにして作成されるリポート及びデータを検討するために、従来のコンピュータ・ワークステーションのような１以上の管理ステーション５２を、好ましくは各々の拠点に設ける。各々の部門内で完全に又は部分的に動作可能となっている管理ステーションを含めて、以上のような様々な管理ステーションを設けてよいことを特記しておく。施設内の様々な部門及びシステムには、ネットワーク・リンク５４及びネットワーク２０を介したデータの送受を容易にするように、モデム又は他のネットワーク接続のような構成設定可能なネットワーク・インタフェイスが設けられる。
【００１２】
サービス提供者１８は、施設自体の内部では部分的に機能することができ、生物医学関連設備品について施設によって収集されたデータに対してアクセス、分析及びリポート作成を行なう処理能力を含んでいる。但し、図１に示す実施形態では、サービス提供者１８は、１以上の施設から遠隔に位置する基地及び１以上の基地の拠点を保持していてよく、データはネットワーク２０を介して施設とサービス提供者との間で伝達されることを特記しておく。図１に示す実施形態では、サービス提供者１８は、第１の処理空間５６と第２の処理空間５８とに分割される処理能力を含んでいる。後述するように、サービス提供者によって記憶されているデータに対して強化されたセキュリティを保持するために、処理空間５８は空間５６から離隔されて、サービス提供者のシステムの外部の利用者から処理空間５８にアクセスすることを実質的に制限することができる。ここでの例では、空間５８は生物医学関連設備品のレコードを記憶してレコードからのデータを処理する役割を果たしており、処理空間５６内でのリポートの作成のためにデータ・ファイルをエクスポート（送出）する。このように、サービス提供者１８によって１以上のデータベース６０が保持されており、データベースからのデータに対し、記憶、関連付け、分析及び抽出を行なう特定のアプリケーション６２の形態の処理能力が設けられている。クライアント６４は、サービス提供者の所でデータ操作機能を実行するアプリケーションにアクセスすることができる。アプリケーション６２には、設備品リポートを作成する基礎として用いられるデータ・ファイルを受け取る１以上のサーバ６６が結合されている。付加的なアプリケーション６８が、リポートを書式整形して処理する役割を果たす。最後に、ルータ、モデム又は類似のネットワーク・インタフェイス回路要素（サーキットリ）等を含むネットワーク・インタフェイス７０が設けられて、データを受信すると共に、サービス提供者から医療施設へデータ及びリポートを送信する。
【００１３】
図２は、図１に示す形式のシステムにおいて生物医学関連設備品データにアクセスし又は生物医学関連設備品データを収集し、記憶して分析する例示的なロジックを示す。図２に示す処理は、データ収集／記憶／関連付け系列７４と、母集団（population）データ分析系列７６とに論理的に下位分割することができる。系列７４内では、部門、拠点、グループ及び施設内の生物医学関連設備品についてのデータが、参照番号７８に示すように手動で又は自動取得のいずれかによって収集される。ワークステーション、ラップトップ型コンピュータ及びハンドヘルド型装置等を介した手入力を典型として含む任意の適当なデータ入力手法を用いてよい。従って、図２に示すように、入力は、参照番号８０に示すような設備品の初期化時の設備品の設定によるものであってもよいし、或いは参照番号８２に示すような後のサービス実行（すなわち個々の設備品構成要素がサービスを受けるとき）によるものであってよい。また、参照番号８４に示すように設備品構成要素を利用するときに、或いは参照番号８６に示すように特定のサービス要求の際に手入力されるデータもある。生物医学関連設備品の運用のこれらの点又は他の点の任意の点において、設備品に関するデータがこのように参照番号８８に示すように手入力される。データ入力システムへのアクセスを制限し、且つデータの一貫性を維持するために、パスワード保護等を通じて認証及び同期系列９０が好ましくは実行されて、認証された職員のみ又は認証されたステーションに設備品データの入力を許可するようにする。同期は、一旦入力が行なわれたら最新の設備品データを維持するように実行される。
【００１４】
データ手入力の代替として、図２の参照番号９２に示すように何らかの自動データ取得を行なってもよい。自動データ取得は、定期的な間隔又は定期的な日程等に従って、幾つかの設備品をポーリング（巡回）することを含み得る。ネットワーク接続された設備品をこのようにして追跡して、ステップ９２において設備品に記憶され伝達されたデータを通じて設備品の動作成績を監視することができる。ステップ９０又は９２のいずれかに続いて、参照番号９４に示すようにデータを記憶する。前述のように、データを１以上の記憶装置に記憶してよいが、データは施設の中央データベースに関連付けられているものとする。この場合にもやはり、中央データベースは物理的には、１以上の施設拠点に位置していもよいし、或いはサービス提供者１８の位置のように拠点外に位置していてもよい。
【００１５】
ステップ９６において、生物医学関連設備品について収集されたデータを任意の数の論理的参照に従って中央データベースにおいて関連付ける。データ自体は好ましくは、参照番号９８に示すような関連付けを容易にする或いはかかる関連付けを含む参照を含んでいる。このように、構成要素データは、構成要素の識別子と、製造者及び型式名を含めた構成要素型式と、設備品の機能によって典型的には指示される構成要素種別とを含み得る。データはまた好ましくは、施設、構成要素が位置する拠点、構成要素が割り当てられている場合にはその割り当て先部門、及び部門又は拠点を論理的に関連付けするグループ指定を表わす参照を含んでいる。各々の構成要素についてのサービス・データはまた好ましくは、元々の保証データ、及び購入後サービス契約若しくは加入を含めて構成要素のすべて又は一部に適用されるサービス取り決め又は契約の範囲への参照を含んでいる。また、関連する日付が好ましくは含まれており、サービス購入又はサービス加入の日付、サービス実行日、及びサービス取り決め適用範囲の満了日又は更新日等がある。さらに、個々の構成要素が定期的にサービス提供を受けている、又は必要に応じてサービス提供を受けている場合には、特定のサービス履歴情報を含めてよい。かかるサービス履歴データはまた、エラー・コード、施設又は利用者が入力したサービス要求レコード、破損レコード、停止時間レコード及び下位構成要素交換レコード等を含んでいてもよい。
【００１６】
母集団データ分析系列７６は、施設の利用特性及び他の考慮点に従って特定の施設及び施設グループのベンチマーク評価（対基準評価）又はプロフィール決定を可能にする。サービス提供者が一定範囲の施設の設備品レコードにアクセスできる場合には、レコードは好ましくは、施設間、拠点間、部門間及びグループ間の共通の特徴を識別するように分析される。かかる分析は、施設の種類、部門の種類、利用されている設備品の種類、並びに利用状況特性（例えば、構成要素数、構成要素に課される任務、及び交換又はサービス・レコード等）の考慮点を含み得る。この分析に基づいて典型的な施設、拠点、部門又はグループに対応する特徴的なプロフィールが識別されて、ベンチマーク評価の目的のために設備品目録及び設備品利用状況によって特定の施設を比較する基準としてこのプロフィールを用いることができる。ベンチマーク分析は好ましくは、何ら個別の施設を識別するものではなく、特定のプロフィールを代表すると考えられる比較的大きな施設グループ（２０以上を含むグループ等）のみを識別するようなプロフィールを結果として生ずることを特記しておく。従って、ステップ１０２で画定されるプロフィールは、設備品数、設備品詳細、患者群統計及び財務プロフィールのような参照データ１０４を含み得る。ステップ１０６において、プロフィール及び対応する参照データは、後述するようなベンチマーク評価及びサービス計画時に将来参照するために、好ましくはサービス提供者用のデータベースに記憶される。
【００１７】
このように、中央データベースに記憶されている生物医学関連設備品レコードは、施設、拠点、部門、グループ、構成要素、構成要素種別及び他の参照特徴による分析を可能にし容易にするデータ集合又は構造を形成している。データベース・レコードは、図３に示すように、これら様々な側面の設備品構成要素データを相互に関連付ける多次元データ・マトリクス構造を形成するものと考えてもよい。図３に示すように、施設１２についてのデータ・レコード１０８はこのように、設備品構成要素が位置する特定の施設拠点への参照１１０を含み得る。さらに、部門レコード１１２が、設備品構成要素の割り当て先部門を指定している。そして、各々の部門及び拠点のレコードが、上述の形式の識別子及びサービス情報を含めて、参照番号１１４に各々の構成要素について保持されている。さらに、拠点レコード、部門レコード及び構成要素レコードをグループ指定１１６によって関連付けることができる。サービス提供者が追加の施設レコードを利用できる場合には、これらのレコードは図３に示すものと類似のデータベースを形成して、施設グループの分析から前述のプロフィールを確定することを可能にする。
【００１８】
本発明の手法は、医療施設の設備品レコードを保持する中央データベースを提供するばかりでなく、施設、及びサービス提供者が利用できる情報源の両方において広範囲の情報源を統合することを特記しておく。図４は、本発明の手法を通じて統合される情報源の形式の一例を線図で示す。後述するように、分析モジュール１１８が、設備品レコードにアクセスして分析するために施設、又は好ましくはサービス提供者のいずれかに設けられている。分析モジュールは、構成要素レコードから有用な管理データを導き出すための一連の分析アルゴリズム、検索手法及びソフトウェア・アプリケーションを組み入れていてよい。広い意味では、分析モジュールは、拠点、部門、施設、グループ及び製造者、並びに構成要素レコードに設けられている他の任意の参照別に、計数、統計分析及び設備品構成要素の関連付けを行なう。分析モジュールは、施設データベース３６から上述のような情報を引き出すと共に、施設に存在しているＲＩＳ４６、ＨＩＳ４８、あらゆるＰＡＣＳ５０又は他の施設情報システムのような施設のその他の情報システムから情報を引き出す。この場合にもやはり、中央施設データベース３６はまた、図４の参照番号１２０によって全体的に示す様々な情報源、例えば部門データ入力システム、固定型又はモバイル型データ入力装置、及び現場技術者又はサービス職員のラップトップ等から情報を得てもよい。同様に、分析モジュール１１８は、ベンチマーク評価における比較等のために母集団データベース６０からの情報にアクセスすると共に、財務、患者群統計及び他の入力１２２からの情報にアクセスする。この入力は、検索可能なデータベース及び業界特有のデータベース等のような公的利用が可能な情報源を含んでいてもよい。分析モジュール１１８によって行なわれる分析に基づいて、構成要素レコード、及び構成要素レコードから導き出された分析を表わすリポートを作成して発行するリポート作成モジュール１２４が設けられている。
【００１９】
図５は、図４の分析モジュール及びリポート作成モジュールの動作のためのリポート作成ワークフローの線図であり、ワークフローを参照番号１２６によって全体的に示す。図５に示すように、サービス提供者の高信頼型（secure）データベース６０は、高信頼型処理空間５８に保持されている。高信頼型処理空間５８において動作するソフトウェア・アプリケーション６２の中にリポート作成アプリケーション１２８があり、アプリケーション１２８は、図４の参照番号１２４に全体的に示すリポート作成モジュールの一部を成している。定期的に又は要求に応じて、リポート作成アプリケーション１２８は施設についてのデータ・レコード１０８（例えば図３を参照）にアクセスし、レコードに今まで含まれていない任意の相互関連したデータを、医療施設に伝達されるべき管理リポート（１又は複数）に用いるために算出又は導出する。図５に示す例では、データ・レコードは、施設特有、拠点特有、部門特有及びグループ特有である情報を含んでいる。さらに、データベース６０はまた、医療施設、拠点、グループ又は構成要素の既知の母集団を表わすデータ、及びプロフィール特有である予備算出されたデータを含んでいてもよい。前述のように、既知の母集団データに基づいて生成されたプロフィールによって、規模及び患者群統計等で施設及び他の論理的グループを範疇分けすることができる。リポート作成アプリケーション１２８は、データ又は複数フィールドのデータを含むデータ・ファイル１３０を生成し、ファイル１３０は次いで、ファイアウォール１３２を介して処理空間５６へエクスポートされる。
【００２０】
処理空間５６内では、データ・ファイル１３０を１以上のリポート・ファイルへ変換するための付加的なハードウェア及びソフトウェア構成要素が設けられている。従って、図示の実施形態では、処理空間５６内のアプリケーション６８は、ファイル１３０からのデータを所定のリポート用ひな形に配置するように適応構成されているウェブ・エージェント１３４を含んでいる。また、リポートを作成するための他のウェブ・コンテント及び入力が１以上のファイル１３６に与えられている。データ・ファイル及びウェブ・コンテントを所定のリポート用ひな形に統合することにより、リポート・ファイル１３８が生成されて、リポート・ファイル１３８は、従来のウェブ・ブラウザ上のＨＴＭＬページのように任意の適当な態様で表示するように適応構成することができる。次いで、リポート・ファイル１３８は記憶されて、ウェブ・サーバ６６を介した配布が可能となる。
【００２１】
本発明の具現化形態では、ウェブ・サーバ６６は、インターネットのような構成設定可能なネットワーク・リンクを介して、ファイアウォール１４０を通過してリポート・ファイル１３８を伝達する。医療施設１２、典型的には管理ステーション５２においては、クライアント・ブラウザ・アプリケーション１４２が、後にさらに詳述するようなリポートの様々な部分を閲覧及び巡航閲覧（navigate）することを容易にする。リポートの操作、リポートの書式整形及びハード・コピーの印刷等のための付加的なアプリケーション１４４も利用可能となっている。
【００２２】
前述のように、本発明の手法は、医療施設の様々な機能的部分、例えば部門又はグループ等によって生物医学関連設備品データの分析を可能にするものである。従って、中央データベースに記憶されておりサービス提供者によってアクセスされるデータは、機能的部分、典型的には設備品構成要素の割り当て先部門、又は構成要素が配置されている拠点及びグループ別に参照される。図６は、部門、グループ、拠点又は他の論理的な区分別に設備品のリポートを作成するようにデータを処理する制御ロジックの例示的な工程を示している。
【００２３】
図６に示すように、ステップ１４８において、中央データベースからデータにアクセスし、ステップ１５０において、部門又はグループ等の所望の論理的下位区分別にデータを分析する。現状で好ましい実施形態では、データを分析して、各々の構成要素の型式及び種別の数を識別すると共に、利用状況パラメータ（例えば、利用時間又は実行された操作）、破損、エラー・コード及び傾向等を決定する。さらに、カレントのデータを中央データベース又は履歴データベースに記憶されている履歴データと共に分析して、これらのパラメータの経時的傾向を識別してもよい。このようにして、ステップ１５０において実行される分析から、設備品構成要素数の増加又は減少、及びエラーや破損の増加又は減少等を識別することができる。ステップ１５２において、ステップ１５０の分析によって生成されたデータを、後に前述のような医療施設へのリポートを作成する際に用いるために記憶する。ステップ１５４において、元の収集されたデータ又は元のデータから導出されたデータのすべて又は一部を、前述の所定のプロフィールに従って類似の施設の参照データと比較することができる。データ自体は、ステップ１５６に示すように、ステップ１５４の比較の後に類似したプロフィールを選択する基準としての役割を果たすこともできる。選択されたプロフィールに基づいてベンチマーク用パラメータを生成してもよく、これらのベンチマーク用パラメータから、プロフィールによって画定される類似した施設に対しての施設の生物医学関連設備品の設備品目録、動作成績、利用状況及びサービス実行の全体像を与えることができる。ステップ１５８において、図５に関して前述したように、部門、拠点及びグループ指定に従ってリポートを作成する。
【００２４】
本発明の手法はまた、生物医学関連設備品のサービス取り決め適用範囲の詳細な分析をも可能にする。図７にまとめた制御ロジック１６０によって示すように、サービス取り決め適用範囲を識別するための記憶されているデータの処理はステップ１６２において開始して、ここでデータにアクセスする。ステップ１６４において、設備品レコードをサービス・レコードによって分析して、設備品識別子、設備品種別、並びにあらゆる既存の保証、サービス取り決め及び加入状況等を識別する。この情報は、図６にまとめた部門、拠点、グループ又は施設のその他の任意の適当な下位区分別の指定を含み得ることを特記しておく。得られるデータ一覧はステップ１６６において記憶されて、ステップ１６８においてリポートを作成する。
【００２５】
本発明の手法のさらなる機能性は、設備品の交換、設備品目録の拡張、設備品目録の縮小、及びサービス実行等の予定を組む或いは計画するために設備品データを分析することを可能にする。計画処理の例示的なロジックを図８にまとめており、参照番号１７０によって全体的に示す。処理１７０はステップ１７２でのデータのアクセスから開始して、続いて、サービス実行日、サービス・レコード、財務レコード及び動作成績レコード等のパラメータによるデータの分析を行なう。例えば、減価償却予定及び設備品の予定回転率等に従って、特定の生物医学関連設備品構成要素が供用に配置されてから所定の時間の後に、構成要素に交換を予定することができる。さらに、サービス・レコードから、設備品の予期される交換必要性の予測を立てることもできる。同様に、エラー・コード又は破損レコードが、構成要素の交換可能性を予測する基準として役立つ。適当な場合には、施設の予測される必要性に従って設備品目録の将来の拡張又は縮小を計画する等のために、ステップ１７４の分析に患者群統計情報の変動予測を利用することもできる。また、所望がある場合には、図８の交換及び計画処理を、特定の部門、拠点、グループ及び施設のその他の機能的部分について実行してもよいことを特記しておく。ステップ１７６において、ステップ１７４の分析に基づいて、設備品交換の回数及び種別を予測して記憶する。所望がある場合には、これらの予測に、交換品目の現在の原価等に基づいた交換の予測経費についての会計を含めてもよい。ステップ１７８において、分析及び交換の選択肢に基づいて計画リポートを作成する。
【００２６】
本発明の手法によって容易になるさらなる処理の形式は、生物医学関連設備品構成要素の利用状況に基づく訓練の必要性の可能性を識別するものである。図９は、参照番号１８０によって全体的に示すように、この処理を実行する例示的な制御ロジックの工程を示している。処理はステップ１８２から開始して、ここで、中央データベースから各構成要素のデータにアクセスする。ステップ１８４において、データを分析して、職員の訓練の必要性を示し得る因子を識別する。例として述べると、かかる因子には、記録されたエラー、停止時間、及びサービス又は手順に関する問い合わせ等がある。特定の構成要素の識別子及び訓練を示すパラメータに加えて、データを分析して追加の訓練から利益を受け得る特定の操作者又は利用者を識別することもできる。ステップ１８６において、設備品製造者、構成要素種別、部門及び施設拠点等の因子別に訓練必要性を識別するようにデータを関連付ける。ステップ１８４及びステップ１８６において行なわれた分析に基づいて、ステップ１８８において訓練必要性を識別して、ステップ１９０において可能性のある必要性を反映したリポートを作成する。この場合にもやはり、ステップ１９０において作成されるリポートは図５に従って作成することができて、特定の設備品又は設備品種別について特定の訓練必要性を指示し得ると共に、訓練から利益を受け得る特定の部門、拠点、グループ又は特定の利用者まで識別することができる。選択随意の工程として、ステップ１９２に示すように実際の訓練の日程を組んでもよい。
【００２７】
図５にまとめた高信頼型態様で一般に実行される上述の様々な分析及びリポート作成工程から、リポートを作成して、医療施設の管理意思決定者に様々な手段で伝達することができる。図１０は、構成設定可能なネットワークを介してリポートを伝達する現状で好ましい態様を示している。参照番号１９４によって全体的に示す過程は、参照番号１９６に示すようなリポートの作成から開始する。ステップ１９８において、データ・ファイルの生成、及びデータ・ファイルとリポートひな形との組み合わせ等によってリポートを記憶してリポート・ファイル（１又は複数）を生成する。リポートは、参照番号２００に示すように、構成設定可能なネットワーク接続等を介して医療施設に電子的に直接伝達されてもよい。代替的には、ステップ２０２に示すように、構成設定可能なネットワーク等を介して施設に通知を送付して、施設にリポートがダウンロード可能になったことを通知してもよい。すると、施設は都合のよい任意の時刻にリポートを引き出すことができる。一旦、リポートが医療施設に伝達されたら、ステップ２０４に示すように、リポートを管理ワークステーション上にロードして閲覧することができる。以上のリポートは、別個に作成されてもよいし、組み合わせて作成されてもよいことを特記しておく。さらに、ここでの実施形態では、単一のリポート・ファイルが広範な「仮想的リポート」を含んでいて、仮想的リポートの各々が、構成要素、部門、拠点及びグループ等に関する特定の情報を盛り込んだ詳細、又は利用者が閲覧可能なページを含むようにしてもよい。
【００２８】
本発明の手法によって提供されるリポートは、任意の適当な態様で書式整形されていてよい。但し、ここでの実施形態では、リポートは、従来のウェブ・ブラウザ又は他の表示アプリケーションで開いて閲覧することのできるＨＴＭＬページの形態等で電子的に作成されて、構成設定可能なネットワーク接続を介して医療施設に伝達される。図１１〜図２５は、医療施設の中央データベースにおいて収集された情報に基づいて以上に述べたようなロジックを介して作成されるかかるリポートの例示的なページを図示している。
【００２９】
図１１は、さらなるリポート・ページを閲覧するために従来のウェブ・ブラウザにおいてアクセスされる一覧又は巡航閲覧用ページを示す。前述のように、以上に述べた手法に従って発行されるリポートは、個々の設備品構成要素、グループ及び拠点等の情報を提示するような態様で下位分割され関連付けられた広範なデータを含んでいてよい。ここでの実施形態では、図１１で参照番号２００によって全体的に示されているページは、様々な「仮想的リポート」を通じての巡航閲覧を可能にしている。このページは好ましくは、さらに詳細なリポートを通じての巡航閲覧のために利用者が選択することのできるグラフィック・ユーザ・インタフェイス・タブ又はボタン２０２を含んでいる。図示の実施形態では、かかる仮想的ボタンは、管理用一覧２０４、グループ・リポート２０６、設備品目録分析２０８、サービス適用範囲分析２１０、動作成績分析２１２、計画分析２１４及び訓練分析２１６について設けられている。ヘルプ・ツール２１８のような付加的なツール、及び代替的な巡航閲覧用ツール２２０を設けて、利用者が仮想的リポートに直接アクセスする、或いはリポートを巡航閲覧したりリポートから出たりすることを可能にすることもできる。当業者であれば理解されるように、前ページを再閲覧するツール、さらなるページに進むツール、ページを印刷するツール、及びページを検索するツール等の様々な追加ツール（図示されていない）を設けてもよい。
【００３０】
図１２は、図１１の管理用一覧ツール２０４を介してアクセス可能な例示的な患者群統計一覧ページを示す。前述のように、生物医学関連設備品データは、施設内の人数群（例えば、入院患者及び外来患者）のような因子を表わすように施設の患者群統計情報に従って分析することもできるし、また患者の治療に用いられる設備品に従って分析することもできる。図１２の一覧ページ２２２では、グラフ式の一覧表示２２４が対象施設の患者群統計の指標を与えている。また、やはり前述のように、カレントの収集データ及び履歴の収集データに基づいて統計分析を行なう場合には、統計グラフ２２６を設けてもよい。さらに、やはり前述のように、所望がある場合には、施設、拠点、グループ又は部門について収集された設備品データを、類似した施設について既知の母集団についてのプロフィール・データに対して比較することができ、対象施設を選択されたプロフィールと比較する詳細なベンチマーク・リポートに仮想的ボタン２２８を通じてアクセスするようにしてもよい。図示の実施形態では、かかるベンチマークはページ２２２を通じて利用可能になっており、設備品の利用寿命レコード、投資レコード及び故障レコードを比較している。
【００３１】
図１３は、図１２の仮想的ボタン２２８の１つを通じてアクセスされる故障のベンチマーク一覧表を示す。図１３に示すように、一覧ページ２３０は、範疇欄２３２において呼び出されているような設備品の範疇について特定の詳細を与えている。収集された設備品データを選択されたプロフィールについて類似のデータと比較する場合には、収集されたデータを様々な分類範囲２３４に従って分類して、対象施設の設備品の動作成績が施設プロフィールの動作成績についての統計的な範囲内にあるか、又は範囲外にあるかの指標を与えることができる。さらに、欄２３６に示すように、サービス取り決めによる適用の範囲内にある設備品構成要素の設備品動作成績（例えば、故障）についての一覧を作成することができる。図１３の実施形態では、欄２３８に、施設について選択されたプロフィールでの範囲に対応する参照範囲についての追加詳細が与えられている。さらなるコメント及び状態データを追加欄２４０に与えてもよい。
【００３２】
生物医学関連設備品構成要素データはまた、部門、グループ及び拠点等のような基盤に基づいて設備品目録を分析するようにまとめてもよい。図１４は、図１１に示すページから仮想的ボタン２０８を介してアクセスされる部門別の設備品目録一覧ページを示している。図１４に示すように、部門別の一覧グラフ２４４のようなグラフィック手法の利用を通じてかかる設備品目録データをページ２４２にまとめることができる。グラフィック手法は、図１４に示す円グラフ、棒グラフ、折れ線グラフ、又は他の任意の有用なデータ提示ツール等を介して任意の適当な方式でデータを提示することができる。図１４に示す実施形態では、設備品目録一覧ページにより、設備品について記憶されている一定範囲のパラメータによる分類又は並べ換えが可能になっている。例として述べると、かかる分類には、グループ・ツール２４６によって示されているように、設備品種別、設備品製造者、施設又は拠点の位置が属するグループ、及び設備品が配置されている拠点等が含まれ得る。シリアル番号及びコントロール番号等によって設備品の詳細を閲覧する等のための追加の並べ換えツール２４８を設けてもよい。前述のように、履歴の設備品の計数及び動作成績を参照する等によって設備品データをある時間範囲にわたって分析する場合には、月、部門、設備品及び範疇等別の変動を表わす一覧ページを閲覧する等のための傾向ツール２５２を設けてもよい。さらに、設備品の権利状態に応じて、権利又は所有者分類別に設備品目録を提示するページにアクセスするためのツール２５４を設けてもよい。最後に、施設プロフィールの参照及び既知の施設のプロフィールとの比較によってベンチマーク分析を行なう場合には、かかる比較の表示のためのベンチマーク・ツール２５６を設けてもよい。
【００３３】
例として述べると、図１５は、図１４の仮想的ボタン２５２を介してアクセスされるページであって、ある施設について新規設備品及び撤去設備品の両方を示す１２か月間にわたる設備品目録の傾向又は変動を一覧にしたページを示している。設備品目録変動一覧ページ２５６は、設備品目録変動の一覧グラフ２５８を与えている。グラフ表示は、部門、拠点、グループ又は施設のその他の任意の所望の機能的部分別にかかる変動を提示し得ることを特記しておく。図１５の実施形態では、情報はまた、グラフ表示に表わされている変動の数値的な計数を示す表形式表示でも提示されている。所望がある場合には、さらなるページを通じて付加的な特定の詳細を提示して、例えば、撤去された又は取得された特定の設備品又は設備品種別の指標を与える等を行なうようにしてもよい。図１６は、図１４のさらなる仮想的ボタン２５２を通じてアクセスされる部門別の例示的な詳細一覧ページを示している。部門別傾向ページ２６２もまた、部門別の設備品変動のグラフ表示２６４を与えると共に、変動を反映した数値的な計数表現２６６を与えている。
【００３４】
当業者であれば理解されるように、設備品目録、設備品目録傾向及び設備品目録投資等の様々な提示を様々な基準に基づいて行なうことができる。例えば、図１４、図１５及び図１６に示すページでは、設備品数が表現されている。しかしながら、施設についての又は製造者からの財務レコードの参照により、特定の投資額を同様の態様で図示してもよい。また、個々の構成要素についての財務レコードの参照、及び課税機関の規制の参照により（例えば、拠点の位置についてのグループ指定によって参照される）、リポートに提示されているデータが、設備品の帳簿価格、設備品の現在までの減価償却、及び予測される減価償却又は帳簿価格等を反映するようにしてもよい。
【００３５】
設備品目録データと、施設プロフィールについての同様のデータとの比較から、特定の施設設備品の動作成績を比較してベンチマーク評価する機会が得られる。図１７は、図１４のページから仮想的ツール２５６を介してアクセスされる設備品数ベンチマーク・ページを示す。関心のある施設について選択された施設プロフィールと比較する場合には、ベンチマーク情報によって、設備品数、設備品投資、設備品動作成績及び設備品故障等のような因子を比較することができる。さらに、部門、グループ、拠点又は図１７に示すような下位モダリティ等の施設の様々な区分又は機能的部分に従って情報を提示してもよい。図１７の実施形態では、ベンチマーク提示ページ２６８は、設備品の下位モダリティについての範疇２７０と、比較の基準がプロフィールの統計的範囲の内外いずれにあったかを示す範囲分類欄２７２とを含んでいる。また、各々の下位モダリティについての実際の数を示す欄２７４、及び選択された特定のプロフィールについての参照範囲欄２７６が設けられている。コメント又は状態のような他の情報を欄２７８に設けてもよい。例として述べると、ここでの実施形態では、プロフィール母集団が信頼性のある比較の統計的基準を与えるには十分でない（例えば、施設数２０未満）場合には、このことがベンチマーク提示において「状態なし」の参照の理由となっていることを示すコメントを欄２７８に与えることができる。
【００３６】
前述のように、本発明の手法はまた、施設の生物医学関連設備品のサービス適用範囲を分析する極めて有用なツールを提供する。図１８は、かかる設備品についてのサービス適用範囲を一覧にした例示的なリポート・ページを示している。一覧ページ２８０は、特定の生物医学関連設備品のサービス取り決めの適用範囲のレベルについての一覧グラフ２８２を簡便に与えている。該ページはまた、サービス適用範囲における傾向、具体的には所望の期間に及ぶサービス取り決め、及びその間にサービス適用範囲が満了する時間の一覧をまとめたさらに詳細なページを利用者が巡航閲覧できるようにするツール２８４を提供している。また、サービス取り決めの適用範囲内にある様々な種別の設備品の数又は量を一覧にした追加のデータ提示２８６を設けてもよい。
【００３７】
図１９は、図１８に示す一覧ページからアクセス可能な生物医学関連設備品についてのサービス取り決め適用範囲の例示的な詳細リポートを示す。図１９の例では、一覧ページ２８８に詳細情報が与えられており、これらの情報は、利用者が望む分析に応じて様々な態様で並べ換えすることができる。例として述べると、設備品の割り当て先部門２９０、設備品が配置されている拠点の位置２９２、又は拠点が属するグループ２９４別に指定又は参照を設けることができる。これらの情報はまた、設備品種別２９６及び設備品製造者２９８別に提示してもよい。所望がある場合には、これらの分類の各々についてのさらに詳細なリポートに一覧ページからアクセスできるようにしてもよい。取扱説明書番号及び型式番号等のような追加の詳細２９８を与えることもできる。所望がある場合には、設備品の取得日を、かかる日付が保証又は他のサービス適用範囲の基準として役立つ場合には特に、欄３００に設けてもよい。また、参照番号３０２に示すように、詳細な識別番号を与えて、施設が設備品を指定するために用いている個々の設備品及び参照コードを特定的に識別できるようにしてもよい。さらに、所望がある場合には、サービス提供者３０４の特定の識別子、並びに提供者とのサービス取り決めについての満了日及び更新日３０６を一覧にしてもよい。これらの一覧はこのようにして、施設の意思決定者に対し、特定の設備品についてのサービス適用範囲の取り決めをグループ化したり分析したりすると共に、かかる適用範囲に必要とされる変更又は更新を予測するための有力なツールを提供する。
【００３８】
施設の中央データベースに記憶されている設備品データはまた、設備品の動作成績を示すパラメータを識別するように分析されてもよい。かかる因子には、設備品利用状況（例えば、設備品が用いられた日数又は事例数）、エラー・コード、停止時間及び破損回数等がある。図２０に、図１１のメイン・ページから仮想的ボタン２１２を介してアクセス可能な例示的な動作成績一覧ページ３０８を示す。図２０の例示的な実施形態では、一覧ページは、特定の設備品の破損の一覧グラフ３１０を部門別に与えている。図２０のグラフィック・ボタン３１２によって示すように、設備品製造者別、設備品拠点別及び拠点グループ別といった他のグループについても同様の提示が利用可能である。故障の原因、修理履歴及び故障範疇等を一覧にした仮想的リポート・ページにアクセスする等のための特定の詳細分析ツール３１４を設けてもよい。前述のように、動作成績データは、施設の既知の母集団から導出された施設のプロフィールについての類似データに対して比較してもよいし、また、ベンチマーク・ページを巡航閲覧用ツール３１６を介して提示してもよく、これにより例えば、破損ベンチマーク評価及び故障ベンチマーク評価等を行なうことができる。
【００３９】
例として、図２１は、施設の特定の部門についての設備品動作成績（故障によって参照されている）の一覧ページを示している。図示の実施形態では、部門別一覧ページ３１８は、参照番号３２０によって示すように設備品の製造者及び設備品指定への参照を設けている。例えば１年といった所望の分析に関する破損回数及び動作成績一覧を含む破損一覧情報３２２が与えられている。欄３２４には設備品の特定の識別子が与えられて、問題のある個々の設備品構成要素の追跡を可能にしており、分析、交換及び同様の計画に有用である。最後に、サービス実行時間のような追加詳細、並びに修理までの平均時間及び故障間の平均時間のような統計的情報を参照番号３２６に示すようにまとめてもよい。図２２に示すような詳細ページを介してさらなる詳細にアクセスできるようにしてもよい。図２２の詳細ページ３２８は、参照番号３３０に示すような部門等の施設の機能的部分別の動作成績情報を、参照番号３３２に示すような破損回数等の詳細な分析と共に提示することができる。
【００４０】
設備品管理、予測及び財務計画等を支援するために、本発明の手法は、新たに取得される設備品又は撤去設備品の両方について施設の潜在的な需要の分析によるデータ収集及びリポート作成を提供する。かかる予測ツールは、中央データベースに記憶されている設備品データの分析、並びに設備品がサービスに加入した日付、設備品の予測寿命、設備品の減価償却期間、及び施設について予測される患者群統計における増大等のような因子に基づいたものとすることができる。図２３に、図１１のメイン・ページから仮想的ボタン２１４を介してアクセスされる例示的な予測計画ページ３３４を図示している。図２３に示すように、かかるページは、施設の機能的部分別の予測をグラフ形態３３６で提示することができる。かかる提示は、前述と同様に、部門、拠点、グループ、又は図２３に示すような下位モダリティ等の施設の任意の適当な機能的部分によって下位分割することができる。一覧ページは、参照番号３４０に示すように、設備品目録変更の提案へのさらなる巡航閲覧を可能にすると共に、参照番号３４２に示すように設備品変更の提案についてのベンチマーク評価一覧への巡航閲覧を可能にすることができ、類似のプロフィールを有する他の施設と比較して設備品目録の変更の提案についての比較を行なうことができる。また、ページ内に設けられたデータの一覧表を参照番号３３８に示すようにまとめてもよい。
【００４１】
図２３に示したページを介してアクセス可能な追加のさらに詳細な一覧を図２４及び図２５に示す。これらの図に示すように、詳細な計画ページ３４４が、生物医学関連設備品について提案される特定の変更を、例えば、機能的部分３４６、この場合には下位モダリティ別に分類して一覧にすることができる。現在の設備品数（又は設備品価値）を参照番号３４８に示すように与えると共に、参照番号３５０に一覧にしたように設備品目録への追加、設備品目録からの撤去及び設備品目録の正味変動の一覧を与えることができる。図２５に示すように、長期詳細予測３５２等によるさらに詳細なページを設けてもよい。予測の一覧グラフ３５４を与えることもでき、施設の適当な任意の機能的部分、図２５の例では下位モダリティ別に、予測を下位分割してもよい。
【００４２】
本発明に様々な改変を施しまた代替的な形態を与えることができるが、本書では特定の実施形態について例として図面に示し詳細に記述した。但し、本発明は開示された特定の形態に限定される訳ではないことを理解されたい。寧ろ、本発明は、特許請求の範囲によって画定される本発明の要旨及び範囲内に含まれるすべての改変、均等構成及び代替構成を網羅するものとする。
【図面の簡単な説明】
【図１】１以上の医療施設においてデータを収集して分析するためのサービス・システムの構成図である。
【図２】図１に示す形式のデータ系を収集して分析するための例示的な制御ロジックを示す流れ図である。
【図３】本発明の手法の各側面に従って収集されて処理される各施設、拠点、部門、グループ及び構成要素に関連したデータを含むデータ・レコードの構成図である。
【図４】施設の生物医学関連設備品データの分析及びリポート発行に利用される多数のデータ源を示すデータ・フロー図である。
【図５】収集した設備品データに基づいてリポートを高信頼型方式で作成し、これらのリポートを医療施設に配布する機能要素を示すワーク・フロー図である。
【図６】本発明の手法の各側面による部門及びグループのデータ処理における例示的な制御ロジックを示す流れ図である。
【図７】サービス取り決め分析及び処理のための例示的な制御ロジックを示す流れ図である。
【図８】設備品交換及び計画処理のための例示的な制御ロジックを示す流れ図である。
【図９】職員訓練の可能な分野を判定するデータの分析のための例示的な制御ロジックを示す流れ図である。
【図１０】上の各図面をまとめた分析に基づくリポート発行のための例示的な制御ロジックを示す流れ図である。
【図１１】分析済データ及び仮想的リポートにアクセスするためのブラウザ・スクリーン等の例示的なグラフィック・ユーザ・インタフェイス・スクリーンの略図である。
【図１２】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図１３】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図１４】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図１５】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図１６】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図１７】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図１８】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図１９】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図２０】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図２１】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図２２】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図２３】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図２４】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【図２５】本発明の手法の各側面に従って、部門、グループ、拠点、並びに個々の設備品の構成要素及び種別についてのデータを提示する生物医学関連設備品のリポート分析を示す例示的なリポート・スクリーンの略図である。
【符号の説明】
１０  サービス・システム
１２、１４、１６  施設
１８  サービス提供者
２０  ネットワーク
２２  現場技術者
２４  遠隔クライアント
２６、２８  機能的グループ
３０、３２、２４  施設拠点
３６  中央データベース
３８、４０、４２  部門
４４  利用者
４６  放射線部門情報システム（ＲＩＳ）
４８  病院情報システム（ＨＩＳ）
５０  画像保管及び通信システム（ＰＡＣＳ）
５２  管理ステーション
５４  ネットワーク・リンク
５６  第１の処理空間
５８  第２の処理空間
６０  サービス提供者のデータベース
６２、６８  アプリケーション
６４  クライアント
６６  サーバ
７０  ネットワーク・インタフェイス
７４  データ収集／記憶／関連付け系列
７６  母集団データ分析系列
７８  データの収集
１０８  施設のデータ・レコード
１１０  拠点への参照
１１２  部門レコード
１１４  構成要素レコード
１１６  グループ指定
１２６  リポート作成ワークフロー
１３２、１４０  ファイアウォール
１４６  リポート作成処理
１６０  サービス取り決め適用範囲の分析処理
１７０  計画処理
１８０  訓練必要性の分析処理
１９４  リポート伝達処理
２００  仮想的リポート巡航閲覧用ページ
２０２  グラフィック・ユーザ・インタフェイス・タブ又はボタン
【図１】
0004963760.tif 000002
【図２】
0004963760.tif 000003
【図３】
0004963760.tif 000004
【図４】
0004963760.tif 000005
【図５】
0004963760.tif 000006
【図６】
0004963760.tif 000007
【図７】
0004963760.tif 000008
【図８】
0004963760.tif 000009
【図９】
0004963760.tif 000010
【図１０】
0004963760.tif 000011
【図１１】
0004963760.tif 000012
【図１２】
0004963760.tif 000013
【図１３】
0004963760.tif 000014
【図１４】
0004963760.tif 000015
【図１５】
0004963760.tif 000016
【図１６】
0004963760.tif 000017
【図１７】
0004963760.tif 000018
【図１８】
0004963760.tif 000019
【図１９】
0004963760.tif 000020
【図２０】
0004963760.tif 000021
【図２１】
0004963760.tif 000022
【図２２】
0004963760.tif 000023
【図２３】
0004963760.tif 000024
【図２４】
0004963760.tif 000025
【図２５】
0004963760.tif 000026